(57)【要約】【課題】従来の凍霜害防止方法は、凍霜害防除のための作物周囲に維持すべき設定温度と、作物周辺の温度を基準とし、温風機・送風機を適宜コントロールするシステムである。このシステムは、作物が備え、かつ生育に必要とする自然の耐久性を、捉えた方法とは云えず、過保護な生育で、この種の作物の持つ特性を殺し兼ねない問題を含んでいる。また温風機を稼動することは、排気ガスの発生による地球環境の破壊等の問題を抱えている。【構成】本発明は、Ｈセンサーを逆転層に、Ｌセンサーを葉面に設置し、逆転層の暖気を作物に吹き降ろす条件は、逆転層の温度が、凍霜害を受け易い位置の温度より高いこと、また温度の差が、略０．５℃〜略１．０℃となったことであり、そして、Ｌセンサーが凍霜害の温度を検出後も、送風を継続し、融解を徐々に図り、作物の葉面等の細胞破壊を回避する防霜ファンを利用した作物に対する送風方法である。【選択図】図１
2007129978.tif 000002
【特許請求の範囲】
【請求項１】
少なくとも一基のＨセンサーを逆転層に、また少なくとも一基のＬセンサーを作物の葉面又は幹等の最も凍霜害を受け易い位置にそれぞれ設置し、以下の条件下において、逆転層の暖気を前記作物に吹き降ろす逆転層の暖気と、継続する送風を有効利用する防霜ファンを利用した作物に対する送風方法であって、
「１」  Ｈセンサーで逆転層の温度を検出し、またＬセンサーで凍霜害を受け易い位置の温度を検出し、この逆転層の温度が、前記凍霜害を受け易い位置の温度より高いこと、
「２」  前記逆転層の温度と、前記凍霜害を受け易い位置の温度の差が、少なくとも略０．５℃〜略１．０℃となったこと、
以上の「１」、「２」の条件を充足した時に、前記逆転層に設けた送風機を稼動し、この暖気を吹き降ろす構成とし、
「３」  前記Ｈセンサーで逆転層の温度を検出し、またＬセンサーで凍霜害を受け易い位置の温度を検出し、この凍霜害を受け易い位置の温度が、前記逆転層の温度より高くなった状態を検出したこと、
「４」  前記「３」の条件が成立した際に、前記送風を継続し、前記作物の葉面又は幹等の融解を徐々に図り、前記作物の葉面又は幹等の細胞破壊を回避する構成とし、
前記逆転層の暖気の有効利用及び／又は送風の継続で、前記作物の葉面又は幹等の融解を徐々に図ることを特徴とした逆転層の暖気と、継続する送風を有効利用する防霜ファンを利用した作物に対する送風方法。
【請求項２】
請求項１に記載の送風機を利用して、暖気を吹き降ろす際に、この暖気を段階方式で順次強くすることを特徴とした逆転層の暖気と、継続する送風を有効利用する防霜ファンを利用した作物に対する送風方法。
【請求項３】
請求項１に記載の送風機が、防霜ファンであって、首振り機構を有する構成であることを特徴とした逆転層の暖気と、継続する送風を有効利用する防霜ファンを利用した作物に対する送風方法。
【請求項４】
請求項１に記載のセンサーが温度センサーであることを特徴とした逆転層の暖気と、継続する送風を有効利用する防霜ファンを利用した作物に対する送風方法。
【請求項５】
請求項１に記載の送風機を、逆転層に移動及び／又は方向転換可能に設け、速やかに移動及び／又は方向転換して逆転層の暖気を吹き降ろし可能とすることを特徴とした逆転層の暖気と、継続する送風を有効利用する防霜ファンを利用した作物に対する送風方法。
【請求項６】
請求項１に記載の作物が茶園の作物であることを特徴とした逆転層の暖気と、継続する送風を有効利用する防霜ファンを利用した作物に対する送風方法。
【発明の詳細な説明】
【技術分野】
【０００１】
本発明は、自然の暖気を有効利用して凍霜害防止を図るとともに、所定の条件、即ち、逆転層に暖気があり、凍霜害を受け易い位置（以下、葉面とする）の温度が低くなった場合には、この暖気を有効利用するとともに、葉面の温度が凍霜害の危険のない場合には、空気の吹き降ろしをなくし、省資源化と、場合により新芽時における葉ズレを回避し、品質の向上を図ること等の如く、正しい生育条件を確保することを意図した逆転層の暖気と、継続する送風を有効利用する防霜ファンを利用した作物に対する送風方法に関する。
【背景技術】
【０００２】
周知の如く、茶園の防霜方法の一つとして、防霜ファンが防霜効果の確保と、管理の容易化、経済性等の面から重宝されている。しかし、この防霜ファンも条件設定を行わず、当業者の勘と、慣行に頼った操作をする場合が多い。このような使用態様では、例えば、凍霜害を受けた葉面に一度に暖気を吹き降ろすことによる細胞の破壊、また葉面の温度が高く、凍霜害にならない条件下で、空気を吹き降ろすことによる葉ズレ問題と、必要としないときの防霜ファンの稼動によるエネルギーロスと、環境破壊・経済性の問題等が考えられる。
【０００３】
以上のような状況に鑑み、本出願人を始めとして当業者が種々の工夫と、特許出願を行っている。その一例を以下に説明する。文献（１）として、実用新案登録第３０２１６４６号の「防霜システム」がある。この考案は、従来の防霜ファンに燃焼炉（燃焼機能）を付加することで、この防霜ファンをセンサーを利用して自動制御しつつ、必要時に煙胴より暖気を防霜ファンに供給し、この人工的な暖気を葉面に吹き降ろす構成であって、圃場の温度を全体的に上げ、強霜を防ぐことを意図する。また文献（２）として、特開平７−１１５８５５号の「凍霜害防除方法とその装置」がある。この発明は、凍霜害防除のための作物周囲に維持すべき設定温度（Ｔｌо）と、温風機より高い位置の外気温（Ｔａ）、作物周辺の温度（Ｔｌ）を検出し、それぞれの条件下で、作物の生育に適した風（空気）を送る構成である。即ち、「Ｔｌ≦Ｔｌо」の場合は、温風の吹出しを、また「ＴａとＴｌの温度差が＞３℃」の場合は、温風機の送風機だけを運転して逆転層の空気を送り、さらに「１℃≦温度差≦３℃」の場合は、送風機の運転と温風機の低燃焼運転との併用運転をし、また「温度差≦１℃」の場合は、送風機の運転と温風機の高燃焼運転との併用運転をし、前述した目的を達成すめることを意図する。
【０００４】
【特許文献１】実用新案登録第３０２１６４６号
【特許文献２】特開平７−１１５８５５号
【発明の開示】
【発明が解決しようとする課題】
【０００５】
前記文献（１）では、燃焼炉を稼動して暖気を供給する構成であり、燃費の無駄となること、この燃費が作物の価格の上昇を招来し、農業の基盤と、国内農業の衰退を惹起することが考えられる。そして、また燃焼炉の稼動は、排気ガスの発生による地球環境の破壊等の問題を抱えており、これらの解決が昨今緊急の課題となっている。
【０００６】
また文献（２）では、凍霜害防除のための作物周囲に維持すべき設定温度（Ｔｌо）と、作物周辺の温度（Ｔｌ）とを基準とした、温風機及び／又は送風機を適宜コントロールするシステムである。しかし、このシステムによる制御では、作物が備え、かつ生育に必要とする自然の耐久性を、的確に捉えた方法でなく、換言すると、過保護の生育であり、この種の作物の持つ特性を殺し兼ねない問題をはらんでいる。そして、前述と同様に、温風機を稼動することは、排気ガスの発生による地球環境の破壊等の問題を抱えており、これらの解決が昨今緊急の課題となっている。
【０００７】
上記に鑑み、本発明は、（イ）  少なくとも着霜が発生する際において、排気ガスの発生がなく、もって地球環境の破壊等の問題が皆無な逆転層の暖気を有効利用する凍霜害防止を提供することを意図する。そして、（ロ）  作物が持つ外気温度に対し、生育に必要とする自然の耐久性を、有効利用することで、この種の作物の真の旨味を確保し、需要者の健康に役立つ有効な作物及び／又はこの需要者が好む作物を提供することを意図する。また（ハ）  凍霜害が発生した場合には、徐々の融解を介して細胞の破壊を極めて少なくすること（作物及び／又は葉面の体温の急上昇を回避すること）、そして、例えば、空気を送風することで発生する葉ズレ防止、又は資源の有効利用と、地球環境の維持を図ること等を意図する。尚、（ニ）  温風機等の燃焼に伴う、騒音等の発生を回避して、最低限での音の発生に留めることで、周辺住民に対する生活に及ぼす騒音問題の解消と、これらのトラブルの解消とを意図する。
【課題を解決するための手段】
【０００８】
請求項１の発明は、前述の（イ）〜（ニ）の目的を達成するに最適な逆転層の暖気と、継続する送風を有効利用する防霜ファンを利用した作物に対する送風方法を提供することを意図する。
【０００９】
請求項１は、少なくとも一基のＨセンサーを逆転層に、また少なくとも一基のＬセンサーを作物の葉面又は幹等の最も凍霜害を受け易い位置にそれぞれ設置し、以下の条件下において、逆転層の暖気を前記作物に吹き降ろす逆転層の暖気と、継続する送風を有効利用する防霜ファンを利用した作物に対する送風方法であって、
「１」  Ｈセンサーで逆転層の温度を検出し、またＬセンサーで凍霜害を受け易い位置の温度を検出し、この逆転層の温度が、前記凍霜害を受け易い位置の温度より高いこと、
「２」  前記逆転層の温度と、前記凍霜害を受け易い位置の温度の差が、少なくとも略０．５℃〜略１．０℃となったこと、
以上の「１」、「２」の条件を充足した時に、前記逆転層に設けた送風機を稼動し、この暖気を吹き降ろす構成とし、
「３」  前記Ｈセンサーで逆転層の温度を検出し、またＬセンサーで凍霜害を受け易い位置の温度を検出し、この凍霜害を受け易い位置の温度が、前記逆転層の温度より高くなった状態を検出したこと、
「４」  前記「３」の条件が成立した際に、前記送風を継続し、前記作物の葉面又は幹等の融解を徐々に図り、前記作物の葉面又は幹等の細胞破壊を回避する構成とし、
前記逆転層の暖気の有効利用及び／又は送風の継続で、前記作物の葉面又は幹等の融解を徐々に図ることを特徴とした逆転層の暖気と、継続する送風を有効利用する防霜ファンを利用した作物に対する送風方法である。
【００１０】
請求項２の発明は、請求項１に記載の目的を達成すること、この目的を達成するためにその暖気を送風機を介して吹き降ろすことを意図する。
【００１１】
請求項２は、請求項１に記載の送風機を利用して、暖気を吹き降ろす際に、この暖気を段階方式で順次強くすることを特徴とした逆転層の暖気と、継続する送風を有効利用する防霜ファンを利用した作物に対する送風方法である。
【００１２】
請求項３の発明は、請求項１に記載の目的を達成すること、この目的を達成するに最適な防霜ファンを提供することを意図する。
【００１３】
請求項３は、請求項１に記載の送風機が、防霜ファンであって、首振り機構を有する構成であることを特徴とした逆転層の暖気と、継続する送風を有効利用する防霜ファンを利用した作物に対する送風方法である。
【００１４】
請求項４の発明は、請求項１に記載の目的を達成すること、この目的を達成するに最適なセンサーを提供することを意図する。
【００１５】
請求項４は、請求項１に記載のセンサーが温度センサーであることを特徴とした逆転層の暖気と、継続する送風を有効利用する防霜ファンを利用した作物に対する送風方法である。
【００１６】
請求項５の発明は、請求項１に記載の目的を達成すること、この目的を達成するに最適な送風機の制御方法を提供することを意図する。
【００１７】
請求項５は、請求項１に記載の送風機を、逆転層に移動及び／又は方向転換可能に設け、速やかに移動及び／又は方向転換して逆転層の暖気を吹き降ろし可能とすることを特徴とした逆転層の暖気と、継続する送風を有効利用する防霜ファンを利用した作物に対する送風方法である。
【００１８】
請求項６の発明は、請求項１に記載の目的を達成すること、この目的を達成するに最適な送風方法を提供することを意図する。
【００１９】
請求項６は、請求項１に記載の作物が茶園の作物であることを特徴とした逆転層の暖気と、継続する送風を有効利用する防霜ファンを利用した作物に対する送風方法である。
【発明の効果】
【００２０】
請求項１の発明は、少なくとも一基のＨセンサーを逆転層に、また少なくとも一基のＬセンサーを作物の葉面又は幹等の最も凍霜害を受け易い位置にそれぞれ設置し、以下の条件下において、逆転層の暖気を作物に吹き降ろす逆転層の暖気と、継続する送風を有効利用する防霜ファンを利用した作物に対する送風方法であって、
「１」  Ｈセンサーで逆転層の温度を検出し、またＬセンサーで凍霜害を受け易い位置の温度を検出し、逆転層の温度が、凍霜害を受け易い位置の温度より高いこと、
「２」  逆転層の温度と、凍霜害を受け易い位置の温度の差が、少なくとも略０．５℃〜略１．０℃となったこと、
以上の「１」、「２」の条件を充足した時に、逆転層に設けた送風機を稼動し、暖気を吹き降ろす構成とし、
「３」  Ｈセンサーで逆転層の温度を検出し、またＬセンサーで凍霜害を受け易い位置の温度を検出し、凍霜害を受け易い位置の温度が、逆転層の温度より高くなった状態を検出したこと、
「４」  「３」の条件が成立した際に、送風を継続し、作物の葉面又は幹等の融解を徐々に図り、作物の葉面又は幹等の細胞破壊を回避する構成とし、
逆転層の暖気の有効利用及び／又は送風の継続で、作物の葉面又は幹等の融解を徐々に図ることを特徴とした逆転層の暖気と、継続する送風を有効利用する防霜ファンを利用した作物に対する送風方法である。
【００２１】
従って、請求項１は、（イ）  少なくとも着霜が発生する際において、排気ガスの発生がなく、もって地球環境の破壊等の問題が皆無な逆転層の暖気を有効利用する凍霜害防止を提供できる特徴がある。そして、（ロ）  作物が持つ外気温度に対し、生育に必要とする自然の耐久性を、有効利用することで、この種の作物の真の旨味を確保し、需要者の健康に役立つ有効な作物及び／又はこの需要者が好む作物を提供できる特徴がある。また（ハ）  凍霜害が発生した場合には、徐々の融解を介して細胞の破壊を極めて少なくすること（作物及び／又は葉面の体温の急上昇を回避すること）、そして、例えば、空気を送風することで発生する葉ズレ防止、又は資源の有効利用と、地球環境の維持が図れること等の特徴がある。さらに（ニ）  温風機等の燃焼に伴う、騒音等の発生を回避して、最低限での音の発生に留めることで、周辺住民に対する生活に及ぼす騒音問題の解消と、これらのトラブルの解消が図れる特徴がある。
【００２２】
請求項２の発明は、請求項１に記載の送風機を利用して、暖気を吹き降ろす際に、暖気を段階方式で順次強くする逆転層の暖気と、継続する送風を有効利用する防霜ファンを利用した作物に対する送風方法である。
【００２３】
従って、請求項２は、請求項１に記載の目的を達成できること、この目的を達成するためにその暖気を送風機を介して吹き降ろす方法（送風方法）を提供できる特徴がある。
【００２４】
請求項３の発明は、請求項１に記載の送風機が、防霜ファンであって、首振り機構を有する構成である逆転層の暖気と、継続する送風を有効利用する防霜ファンを利用した作物に対する送風方法である。
【００２５】
従って、請求項３は、請求項１に記載の目的を達成できること、この目的を達成するに最適な防霜ファンを提供できる特徴がある。
【００２６】
請求項４の発明は、請求項１に記載のセンサーが温度センサーである逆転層の暖気と、継続する送風を有効利用する防霜ファンを利用した作物に対する送風方法である。
【００２７】
従って、請求項４は、請求項１に記載の目的を達成できること、この目的を達成するに最適なセンサーを提供できる特徴がある。
【００２８】
請求項５の発明は、請求項１に記載の送風機を、逆転層に移動及び／又は方向転換可能に設け、速やかに移動及び／又は方向転換して逆転層の暖気を吹き降ろし可能とする逆転層の暖気と、継続する送風を有効利用する防霜ファンを利用した作物に対する送風方法である。
【００２９】
従って、請求項５は、請求項１に記載の目的を達成できること、この目的を達成するに最適な送風機の制御方法を提供できる特徴がある。
【００３０】
請求項６の発明は、請求項１に記載の作物が茶園の作物である逆転層の暖気と、継続する送風を有効利用する防霜ファンを利用した作物に対する送風方法である。
【００３１】
従って、請求項６は、請求項１に記載の目的を達成できること、この目的を達成するに最適な送風方法を提供できる特徴がある。
【発明を実施するための最良の形態】
【００３２】
本発明の一実施例を、図面とともに説明する。
【００３３】
先ず、本発明の図面を説明すると、図１は全体の動きを説明するフローチャート図、図２は建柱式の防霜ファンの一例を示した側面模式図、図３は別の防霜ファンと建柱との関係を説明する要部の側面模式図、図４は別の防霜ファンと建柱との関係を説明する要部の平面模式図である。
【００３４】
図１に示したフローチャート図において、ＳＴ−１で防霜ファン１及び／又はＨＬセンサー２、３をスタートさせる。このＨＬセンサー２、３で逆転層４の温度（ＳＴ−１）と、凍霜害を受け易い位置（例えば、葉面５）の温度（ＳＴ−２）を検出する条件設定をする。またＳＴ−３の如く、前記逆転層４の温度と、凍霜害を受け易い位置（葉面５）の温度の差が、少なくとも略０．５℃〜略１．０℃となったこと等の条件設定をする。
【００３５】
その後、ＳＴ−４で逆転層４の温度が、葉面５の温度より高いと判断した場合には、Ｙｅｓの信号を発する。このＹｅｓの信号を介して防霜ファン１の回転をし、逆転層４の暖気を確実に捉えて、葉面５に供給する（ＳＴ−５）。これによって、凍霜害が防止できる。尚、ＳＴ−４で逆転層４の温度が、葉面５の温度より低いと判断した場合には、Ｎｏの信号を発する。このＮｏの信号の場合は、ＳＴ−６となり戻る。
【００３６】
そして、場合により、一点鎖線で示した、ＳＴ−７の如く、前述のＳＴ−１〜ＳＴ−３に付加して、逆転層４の暖気を確実に捉えるために、防霜ファン１の移動と、方向変換を行い。この逆転層４の暖気を確実及び／又は有効に利用し、省資源及び／又は品質の向上等の前述の効果を図ることも可能である。
【００３７】
また前記葉面５の温度は、支持体、吊下げ、移動式、又は多数箇所、その他の傾斜地、圃場条件等を考慮し、最適な箇所を設定するとともに、経験及び／又は勘が必要な場合もあり得る。そして、この設定値により、本発明の実効性が確保できるので、大切である。
【００３８】
尚、図示しないが、圃場の条件で、前述の検出及び／又は操作を区画して、個別に制御することも可能であり、この区々の制御を介して精緻に行うことは、前述の如く、省資源及び／又は品質の向上等の前述の効果を図ることに有効である。
【００３９】
そして、図示しないが、前記ＨＬセンサー２、３で逆転層４の温度と、葉面５の温度を検出する。この検出値は増幅器を利用して増幅し、この増幅した温度を、比較器等の判定手段（ＳＴ−４）で判定する。
【００４０】
そして、このＹＥＳの判断に付随して、ＳＴ−８の如く、Ｈセンサー２で逆転層４の温度を検出し、またＬセンサー３で葉面５の温度を検出し、葉面５の温度が、逆転層４の温度より高くなること等の条件設定をする。この条件設定後に、ＨＬセンサー２、３で逆転層４の温度と、葉面５の温度を検出し、前記条件に合致するか否かを判定する（ＳＴ−９）。この判定で、Ｙｅｓの指令の信号を発すると、このＹｅｓの信号を介して防霜ファン１の回転を継続し、逆転層４の空気を確実に捉えて、葉面５に供給する（ＳＴ−１０）。これによって、作物の葉面５又は幹等の融解を徐々に図り、作物の葉面５又は幹等の細胞破壊を回避する。またＮｏの場合には、防霜ファン１の回転を停止し、全ての作業及び／又は操作が完了する（ＳＴ−１１）。
【００４１】
この送風の継続で、葉面５の直射日光による急激な温度上昇をなくすことで、葉面５等の融解を徐々に図り、細胞破壊を回避する。このような各条件を付加し、総合的な制御を可能として、確実な凍霜害防止と、作物の葉面又は幹等の細胞破壊を回避することで、結果として、前述した効率的な効果の達成と、品質の優れた作物を収穫できること、又は収穫量の増加が期待できること等の実益がある。
【００４２】
尚、図示しないが、前述の各種の停止は、作動及び／又は停止用のセンサー、人手又は自動制御等を介して適宜行われる。
【００４３】
尚、前記の如く、逆転層４の温度を検出するＨセンサー２は一基で説明したが、より精緻な検出と、これに基づく制御を図るために数基設けることもあり得る。また葉面５の温度を検出するＬセンサー３においても、前述のＨセンサー２と同様に解釈される。
【００４４】
図３、図４で示すように、防霜ファン１の移動手段としては、建柱１００に被嵌した筒体１０１の軸方向の長孔１０２ａに挿入した止め具１０３ａを、建柱１００に螺着する構成を採用し、この止め具１０３ａの操作と、長孔１０２ａの位置を変更することで達成する。また方向の変更は、筒体１０１に捲装したベルト１０４と、このベルト１０４に設けた環状方向の長孔１０２ｂに挿入した止め具１０３ｂを、筒体１０１に螺着する構成を採用し、この止め具１０３ｂの操作と、長孔１０２ｂの位置を変更することで達成する。
【図面の簡単な説明】
【００４５】
【図１】図１は全体の動きを説明するフローチャート図
【図２】図２は建柱式の防霜ファンの一例を示した側面模式図
【図３】図３は別の防霜ファンと建柱との関係を説明する要部の側面模式図
【図４】図４は別の防霜ファンと建柱との関係を説明する要部の平面模式図
【符号の説明】
【００４６】
１            防霜ファン
１００        建柱
１０１        筒体
１０２ａ      長孔
１０２ｂ      長孔
１０３ａ      止め具
１０３ｂ      止め具
１０４        ベルト
２            Ｈセンサー
３            Ｌセンサー
４            逆転層
５            葉面
【図１】
2007129978.tif 000003
【図２】
2007129978.tif 000004
【図３】
2007129978.tif 000005
【図４】
2007129978.tif 000006